(57)【特許請求の範囲】
【請求項１】
電気部品（１３）を収容したハウジング（１１）に引き出し孔（１６）を設け，前記電気部品（１３）に接続したリード線（１７）をこの引き出し孔（１６）から引き出して保持する，電気部品のリード線保持構造であって，
前記ハウジング（１１）に，前記引き出し孔（１６）を囲繞する筒部（２２）を形成し，この筒部（２２）の側壁に，前記引き出し孔（１６）から引き出したリード線（１７）を折り曲げて通過させる保持溝（２３）を設けると共に，この保持溝（２３）の内面との間で前記リード線（１７）を挟持するキャップ（２６）を嵌着し，
さらに，前記引き出し孔（１６）に設けた凹部（１６ａ）に，前記リード線（１７）の外周面に密接するグロメット（１９）を装着するとともに，前記キャップ（２６）に，前記リード線（１７）を跨いで対応するグロメット（１９）の外端に当接してその外方への離脱を抑える当接部（２９）を形成し，
前記折り曲げて引き出されたリード線（１７）を，前記キャップ（２６）に設けられた押圧部（２８）と保持溝（２３）の底面との間で挟持することを特徴とする，電気部品のリード線保持構造。
【請求項２】
請求項１記載の電気部品のリード線保持構造において，
前記保持溝（２３）を前記筒部（２２）の周上異なる複数箇所に設けたことを特徴とする，電気部品のリード線保持構造。
【発明の詳細な説明】
【０００１】
【発明の属する技術分野】
本発明は，電気部品を収容したハウジングに引き出し孔を設け，前記電気部品に接続したリード線をこの引き出し孔から引き出して保持する，電気部品のリード線保持構造に関する。
【０００２】
【従来の技術】
従来，電気部品に接続したリード線をハウジングの引き出し孔から引き出す場合，引き出し孔のシールとリード線の保持のために，リード線に密に嵌合したグロメットを上記引き出し孔に取付けることが一般に行われている（例えば，特開平８−１５９３２６号公報参照）。
【０００３】
【発明が解決しようとする課題】
ところが，グロメットのリード線に対する保持力は，充分とは言えず，しばしばリード線に加わる引張り力に抵抗しきれず，リード線のずれを生じさせてしまうことがあり，このようなリード線のずれは，リード線と電気部品との接続部の破断の原因となる。
【０００４】
本発明は，かゝる事情に鑑みてなされたもので，ハウジングの引き出し孔から引き出したリード線をハウジングに強力に保持して，外力によるリード線のずれを簡単，確実に防ぐことができる，電気部品のリード線保持構造を提供することを目的とする。
【０００５】
【課題を解決するための手段】
上記目的を達成するために，本発明は，電気部品を収容したハウジングに引き出し孔を設け，前記電気部品に接続したリード線をこの引き出し孔から引き出して保持する，電気部品のリード線保持構造であって，前記ハウジングに，前記引き出し孔を囲繞する筒部を形成し，この筒部の側壁に，前記引き出し孔から引き出したリード線を折り曲げて通過させる保持溝を設けると共に，この保持溝の内面との間で前記リード線を挟持するキャップを嵌着し，さらに，前記引き出し孔に設けた凹部に，前記リード線の外周面に密接するグロメットを装着するとともに，前記キャップに，前記リード線を跨いで対応するグロメットの外端に当接してその外方への離脱を抑える当接部を形成し，前記折り曲げて引き出されたリード線を，前記キャップに設けられた押圧部と保持溝の底面との間で挟持することを第１の特徴とする。
【０００６】
この第１の特徴によれば，ハウジングの筒部にキャップを嵌着するだけで，このキャップと保持溝の内面との間でリード線を強力に挟持することができる。したがって，外力によるリード線のずれを確実に防いで，ハウジング内における電気部品とリード線との接続部の破断を回避することができる。
【０００７】
また，前記引き出し孔に設けた凹部に，前記リード線の外周面に密接するグロメットを装着するとともに，前記キャップに，前記リード線を跨いで対応するグロメットの外端に当接し，その外方への離脱を抑える当接部を形成し，前記折り曲げて引き出されたリード線を，前記キャップに設けられた押圧部と保持溝の底面との間で挟持するようにしたので，リード線を保持するキャップにより，グロメットの抜け止めを同時に行うことができる。したがって，簡単な構造によりグロメットを保持して，外力によるグロメットの変形を防ぎ，引き出し孔のシール状態を長期にわたり良好に保つことができる。
【０００８】
さらに本発明は，第１の特徴に加えて，前記保持溝を前記筒部の周上異なる複数箇所に設けたことを第２の特徴とする。
【０００９】
この第２の特徴によれば，筒部の複数箇所に設けられた保持溝を選択して，それにリード線を係合させることにより，周辺機器との干渉を回避すべくリード線の配線方向を自由に設定することができる。
【００１０】
【実施例の形態】
本発明の実施の形態を，添付図面に示す本発明の実施例に基づいて以下に説明する。
【００１１】
図１は本発明の電気部品のリード線保持構造を備えた電磁弁の平面図，図２は図１の２−２線断面図，図３は図２の３−３線断面図，図４は上記電磁弁におけるキャップの平面図，図５は同底面図，図６は図４の６−６線断面図，図７は図６の７−７線断面図である。
【００１２】
先ず，図１及び図２において，符号１０は，自動車のブレーキ油圧の保持に用いる電磁弁で，その合成樹脂製ハウジング１１には一対の収容室１２が設けられており，各収容室１２に，電気部品としてのコイル１３を巻装したボビン１４と，そのコイル１３の励磁によって作動される弁部品（図示せず）が収容される。
【００１３】
ボビン１４には，コイル１３の両端末に連なる一対の端子片１５の基部が埋設されており，これら端子片１５に一対のリード線１７が  それぞれ溶接，又は半田付けにより接続される。
【００１４】
図２及び図３に示すように，ハウジング１１の端壁には，各収容室１２毎に一対の引き出し孔１６が形成され，これらを通して一対のリード線１７が引き出される。各引き出し孔１６には，その外端側に大径で且つ深い筒状の凹部１６ａが設けられ，この凹部１６ａに，対応するリード線１７の外周面に密合するゴム製のグロメット１９が嵌装される。このグロメット１９は，その外周面に前記凹部１６ａの内周面に密接する複数の環状シール突条１９ａが形成される。
【００１５】
ハウジング１１の端壁には，また，各一対の引き出し孔１６の外方開口部を囲繞する断面長方形の筒部２２が一体に形成されると共に，各筒部２２の長辺側の両側壁２２ａに保持溝２３が，また短辺側の両側壁２２ｂに係止孔２４がそれぞれ設けられる。そして，前記引き出し孔１６から引き出されたリード線１７は，所望の方向へ直角に屈曲させて，保持溝２３を通過するように配線される。
【００１６】
前記各筒部２２には，合成樹脂製のキャップ２６が次のように取付けられる。即ち，キャップ２６は，筒部２２の内周に適合する形状を有すると共に，一方の相対向する外側面に一対の係止爪２７を突出させており，このキャップ２６を筒部２２内に押し込んで嵌合すると，その係止爪２７が筒部２２の係止孔２４に弾性的に係合して，キャップ２６をその嵌合位置に保持するようになっている。その係止爪２７の下面は，これの係止孔２４への係合をスムーズにする斜面２７ａに形成される。
【００１７】
図２〜図７に示すように，上記キャップ２６には，筒部２２への取付け状態で各保持溝２３の底面と協働してリード線１７を挟持し得る溝状の押圧部２８と，前記各リード線１７を跨いで対応するグロメット１９の外端に当接する各一対の当接部２９とが形成される。その際，押圧部２８と保持溝２３の底面との間隙は，これらがリード線１７を挟持したとき，該リード線１７の被覆に押圧痕３１を生じせしめるように，該被覆の通常の外径より小さく設定される。
【００１８】
次に，この実施例の作用について説明する。
【００１９】
電磁弁１０の組立てに当たっては，先ず，ハウジング１１内からリード線１７を引き出し孔１６に通して外部に引き出しながら，コイル１３付きボビン１４及び図示しない弁部品をハウジング１１に収容する。次いで，リード線１７の外周に嵌合したグロメット１９を引き出し孔１６の凹部１６ａに装着し，その上でリード線１７を所望の方向へ直角に屈曲させて，その方向に位置する保持溝２３に係合させる。即ち，筒部２２の周上異なる複数箇所に設けられた保持溝２３を選択して，それにリード線１７を係合させることにより，電磁弁１０の隣接機器との干渉を回避すべく，リード線１７の配線方向を自由に設定することができる。
【００２０】
こうしてから，各筒部２２の内周にキャップ２６を押し込んで嵌合すると，キャップ２６の押圧部と保持溝２３の底面とが協働してリード線１７を挟持し，特に，リード線１７の被覆に押圧痕３１を形成するので，その挟持力は強力で，リード線１７に加わる引張り力等の外力に充分抵抗して，その長手方向のずれを簡単，確実に防ぐことができ，したがって，端子片１５及びリード線１７の接続部の破断を回避することができる。
【００２１】
また同時に，キャップ２６は，その当接部２９を，リード線１７を跨いで対応するグロメット１９の外端に当接して，引き出し孔１６からの離脱を阻止するので，グロメット１９専用の抜け止め部材は不要となる。したがって，簡単な構造によってグロメット１９を保持して，外力によるグロメット１９の変形を防ぎ，引き出し孔１６のシール状態を長期にわたり良好に保つことができる。
【００２２】
本発明は，上記実施例に限定されるものではなく，その要旨を逸脱しない範囲で種々の設計変更が可能である。例えば，ハウジング１１には，コイル１３等に代えて，スイッチ部品その他の電気部品を収容することもできる。また，ハウジング１１の筒部２２は円筒状に形成することもできる。
【００２３】
【発明の効果】
以上のように本発明の第１の特徴によれば，電気部品を収容したハウジングに引き出し孔を設け，前記電気部品に接続したリード線をこの引き出し孔から引き出して保持する，電気部品のリード線保持構造であって，前記ハウジングに，前記引き出し孔を囲繞する筒部を形成し，この筒部の側壁に，前記引き出し孔から引き出したリード線を折り曲げて通過させる保持溝を設けると共に，この保持溝の内面との間で前記リード線を挟持するキャップを嵌着し，さらに，前記引き出し孔に設けた凹部に，前記リード線の外周面に密接するグロメットを装着するとともに，前記キャップに，このグロメットの上で前記リード線を跨いで対応するグロメットの外端に当接してその外方への離脱を抑える当接部を形成し，前記リード線を，該グロメットの上で，前記キャップに設けられた押圧部と保持溝の底面との間で挟持するようにしたので，ハウジングの筒部にキャップを嵌着するだけで，このキャップと保持溝の内面との間でリード線を強力に挟持することができ，それにより外力によるリード線のずれを確実に防いで，ハウジング内における電気部品とリード線との接続部の破断を回避することができるばかりでなく，リード線を保持するキャップによってグロメットの抜け止めを同時に行うことができ，したがって，簡単な構造によりグロメットを保持して，外力によるグロメットの変形を防ぎ，引き出し孔のシール状態を長期にわたり良好に保つことができる。
【００２４】
また，本発明の第２の特徴によれば，前記保持溝を前記筒部の周上異なる複数箇所に設けたので，複数箇所の保持溝を選択して，それにリード線を係合させることにより，周辺機器との干渉を回避すべくリード線の配線方向を自由に設定することができる。
【図面の簡単な説明】
【図１】  本発明の電気部品のリード線保持構造を備えた電磁弁の平面図。
【図２】  図１の２−２線断面図。
【図３】  図２の３−３線断面図。
【図４】  上記電磁弁におけるキャップの平面図。
【図５】  同底面図。
【図６】  図４の６−６線断面図。
【図７】  図６の７−７線断面図。
【符号の説明】
１１・・・・・ハウジング
１３・・・・・電気部品（コイル）
１６・・・・・引き出し孔
１７・・・・・リード線
１９・・・・・グロメット
２２・・・・・筒部
２３・・・・・保持溝
２６・・・・・キャップ
２９・・・・・当接部
【図１】
0003943766.tif 000002
【図２】
0003943766.tif 000003
【図３】
0003943766.tif 000004
【図４】
0003943766.tif 000005
【図５】
0003943766.tif 000006
【図６】
0003943766.tif 000007
【図７】
0003943766.tif 000008